(57)【要約】【課題】  ダムの貯水湖に流入堆積した土砂の合理的排除を企図したダムの貯水湖における流入土砂の処理方法の提供を図る。【解決手段】湖底から掘出した土砂を収容するための浮力を有する浮船本体の周壁を、収容する土砂の増加に応じて嵩上げし、当該周壁の嵩上げの形成は、土砂が一杯になる毎に段階的な連結組み立てに基づき行なうように成し、設定水位に応じた所要高さに嵩上げがなされその内部に土砂が満たされた状態となった後、その表面に土盛を施して平坦化し、当該平坦化された上面に対して湖上施設を構築するようにしたダムの貯水湖における流入土砂の処理方法。【選択図】  図１
2016098609.tif 000002
【特許請求の範囲】
【請求項１】
湖底から掘出した土砂を収容するための浮力を有する浮船本体、並びに、当該浮船本体に連ねるための浮力を有する周壁を、収容する土砂の増加に応じて順次嵩上げし、当該周壁の嵩上げの形成は、土砂が一杯になる毎に段階的に行なうように成し、ダム湖の水位に基づく設定水位に応じた高さに嵩上げがなされかっその内部に土砂が満たされた状態となった際、その表面に土盛を施して平坦化し、当該平坦化された上面に対して湖上施設を構築するようにしたダムの貯水湖における流入土砂の処理方法。
【請求項２】
浮船本体を含めた全体の形成、または、段階的な連結組み立てに基づき行なうための周壁部分の形成を、ブロック単体の組合せ連結に基づき行なうようにした請求項1に記載のダムの貯水湖における流入土砂の処理方法。
【発明の詳細な説明】
【技術分野】
【０００１】
本発明はダムが設けられている貯水湖に流入堆積した土砂の、合理的排除を企図したダムの貯水湖における流入土砂の処理方法に関する。
【背景技術】
【０００２】
最近、公的調査によると、ダムの貯水湖内に河川から流れ込んだ土砂が堆積し、ダムの実質的な貯水量確保を妨げていることが確認された。  そして、このような堆積物が増えることによって、ダム湖水建設に際して設定した設計耐用年数を大幅に短縮させてしまうこととなる。
【０００３】
このような問題発生を回避するために、従来、湖底の堆積土砂を掘り出して引き上げると共に、これをダンプ等に積載して所要の土砂集積所に移動させる、と言うような手段を取ることを通例とした。
【発明の概要】
【発明が解決しようとする課題】
【０００４】
上記した従来手段であると、土砂の輸送に莫大な経費と時間を要するばかりでなく、土砂集積所に大量に土砂が集まりその処理に窮してしまうというような問題、更には多数のダンプカーの往来に基づく、交通渋滞、排気ガスの撒き散らし、更には、輸送中の不測の土砂撒き散らしと言う公害問題を引き起こすこととなる。
【０００５】
本発明はこのような問題を解決した新規の「ダムの貯水湖における流入土砂の処理方法」の提供を図ったものである。
【課題を解決するための手段】
【０００６】
本発明は、本発明は、湖底から掘出した土砂を収容するための浮力を有する浮船本体、並びに、当該浮船本体に連ねるための浮力を有する周壁を、収容する土砂の増加に応じて順次嵩上げし、当該周壁の嵩上げの形成は、土砂が一杯になる毎に段階的に行なうように成し、ダム湖の水位に基づく設定水位に応じた高さに嵩上げがなされかっその内部に土砂が満たされた状態となった際、その表面に土盛を施して平坦化し、当該平坦化された上面に対して湖上施設を構築するようにした「ダムの貯水湖における流入土砂の処理方法」に係る。
【０００７】
本発明は、浮船本体を含めた全体の形成、または、段階的な連結組み立てに基づき行なうための周壁部分の形成を、ブロック単体の組合せ連結に基づき行なうようにした請求項1に記載のダムの貯水湖における流入土砂の処理方法を実施の態様とする。
【発明の効果】
【０００８】
本発明は請求項1に記載のような構成の採用に基づき、ダム湖から掘出した土砂を当該ダム湖の湖面上での処理、すなわち、当該土砂を、湖上施設を構築するための浮島形成の資材としての利用を図るため、掘り起こした土砂を移動することなく現場処理とされる。
従って、これを土砂捨て場等に移動するようにした場合に生じる、ダンプカーの往来に基づく、交通渋滞、排気ガスの撒き散らし、更には、輸送中の不測の土砂撒き散らしと言う公害問題を引き起こすことがない。  そして、湖上施設構築のための資材として現場の掘出し土砂が利用されるため、その構築の廉価性及び迅速性が図られる。
【０００９】
本発明は、請求項2に記載のように、浮船本体を含めた全体の形成、または、段階的な連結組み立てに基づき行なうための周壁部分の形成を、ブロック単体の組合せ連結に基づき行なうことにより、その構築の迅速性、簡易性、並びに作業の簡易性を図ることができる。
【図面の簡単な説明】
【００１０】
【図１】本発明の実施形態を表した説明用略図である。
【図２】本発明の一つの実施例を表した説明用略図である。
【図３】フロートを外部に設けた場合の説明用略図である。
【図４】本発明のもう一つの実施例を表した説明用略図である。
【図５】本発明に基づき形成した浮島を例示した説明用略図である。
【発明を実施するための形態】
【００１１】
本発明は、湖底から掘出した土砂を収容するための浮力を有する浮船本体、並びに、当該浮船本体に連ねるための浮力を有する周壁を、収容する土砂の増加に応じて順次嵩上げし、当該周壁の嵩上げの形成は、土砂が一杯になる毎に段階的に行なうように成し、ダム湖の水位に基づく設定水位に応じた高さに嵩上げがなされかっその内部に土砂が満たされた状態となった際、その表面に土盛を施して平坦化し、当該平坦化された上面に対して湖上施設を構築するようにした「ダムの貯水湖における流入土砂の処理方法」に係るものである。
【００１２】
そして、浮船本体を含めた全体の形成、または、段階的な連結組み立てに基づき行なうための周壁部分の形成を、ブロック単体の組合せ連結に基づき行なうようにすることを実施の態様とするものである。
【００１３】
図１は本発明の作業工程を表したものであって、Ａはダム、Ｂは湖底に流入した土砂を示す。  同図に於いて、(イ)は基本となる浮船本体1を表したものである。  当該浮船本体1は図２に示すように、底面部には透水シート1aを敷き、周壁内面には保護シート1bで覆うことにより、内部に収容した土砂の水分を外部に排出するような作用を呈する形態のものとしてある。  なお、収容された土砂の水分は、収容に基づく土砂圧力で外部に排出させられるような力が付与されているため、湖の水圧に抗してその強圧的排出がなされるものである。  なお、水分除去を必要としない場合、たとえば殆どが岩石の場合は、このような構成は不要である。
【００１４】
上記した浮船本体1は、図１の(イ)に示すように湖面に浮かべ、湖底に流入した土砂Ｂを船上ホッパー等で掘り出して収容する。  そして、これが一杯になった際には、図１の(ロ)に示すように浮船本体1の周壁の嵩上げを行なう。  当該嵩上げは、図２に示すようなブロック単体２の組合せ連結に基づき行なうものである。  そして、当該ブロック単体2としては、公知の技術、例えば特開昭63-268823号公報、特開平10-252108号公に掲載されているような公知のブロックを用いるものであり、従って、これに対する詳細な説明は省略する。
【００１５】
ところで、上記した浮船本体1全体、また、当該浮船本体1全体を図２に示すようにブロック単体で形成した場合はそのブロック単体に、更に、周壁を嵩上げするためのブロック単体2に、それぞれ内部にウレタン等を収装しておくことにより、浮力を備えたものとしておくか、図３に示すようにフロート3を側部に取り付けることにより全体が湖に船状に浮き上がった状態が保たれるように構成してある。  
【００１６】
また、上記した浮船本体1としては図２に示すようにブロック単体で形成する以外、図４に示すように一体成形体の浮船本体1ａとするように構成しても良い。  更に、周壁の嵩上げ手段としては、図１に示すようにブロック単体の組合せ連結に基づき行なう以外、図４に示すように枠状周壁4を次第に積み上げるように構成しても良い。  この場合、当該枠状周壁4自体に浮力を付与しておくか、あるいは前記したような外付け的フロートにより浮力を得るようにしておく。
【００１７】
前記のようにして所要高さの嵩上げがなされ、また、内部に土砂が満たされた状態において、その上面に土盛等なして平坦化し、当該平坦化された表面に対して、釣り場或いは公園、遊園地等の所要の湖上施設を構築することにより、図５に示すような浮島状の湖上施設を形成する。
【００１８】
そして、当該湖上施設は、ダム湖の水位が下がった場合は、その底部が湖底に接することとなるが、この場合、当該接地状態でずれ動かない様に、その底部にスパイク状の足を設けておくか、或いは、浮船本体の底部を、湖底にフィット可能とするフレキシブルな形態としておくようにして実施することが好ましい。
【００１９】
また、ダム湖の水位が上がった場合は、図１に鎖線で示すように浮き上がることとなる。そして、水位が危険値に達した時点ではダムの放水がなされるため、ダム湖の外に流れ出すようなことはない。
【００２０】
本発明は以上のような工程を取り、ダム湖から掘出した土砂を当該ダム湖の湖面上で受取ることにより、当該土砂を、湖上施設を構築するための浮島形成の資材としての利用を図る。  そのため、掘り起こした土砂を移動することなく現場処理とされる。  
【符号の説明】
【００２１】
Ａ  ダム
Ｂ  土砂
1      浮船本体
1a 一体成形体の浮船本体
2      ブロック単体
3      フロート
4      枠状周壁
【図２】
2016098609.tif 000003
【図３】
2016098609.tif 000004
【図１】
2016098609.tif 000005
【図４】
2016098609.tif 000006
【図５】
2016098609.tif 000007